(57)【要約】【課題】  床パネルを固定するパネル押えがセキュリティー仕様と通常仕様で分けて使用されていても、一本の工具で両方を操作できるようにする。【解決手段】  床パネルを支持脚に固定するパネル押えであり、汎用工具に形成される汎用係合部には非係合であって、専用工具に形成される専用係合部には係合する専用係合形状と、汎用係合部を非係合とする汎用非係合形状とが形成されたことを特徴とするパネル押え。【選択図】  図１
2008025103.tif 000002
【特許請求の範囲】
【請求項１】
床パネルを支持脚に固定するパネル押えであり、汎用工具に形成される汎用係合部には非係合であって、専用工具に形成される専用係合部には係合する専用係合形状と、汎用係合部を非係合とする汎用非係合形状とが形成されたことを特徴とするパネル押え。
【請求項２】
パネル押えが、床パネルを上から押える頭部と、頭部の下方に突出し、支持脚を構成するネジ支柱に螺合するネジ穴が形成された胴部を有するものであり、この頭部及び／又は胴部に専用係合形状と汎用非係合形状が形成される請求項１のパネル押え。
【請求項３】
専用係合形状が、頭部の上面に形成された多角形穴であり、汎用非係合形状が多角形穴の底部からネジ穴に貫通する逃がし孔である請求項２のパネル押え。
【請求項４】
多角形穴と逃がし孔が同一形状に形成されて兼用される請求項３のパネル押え。
【請求項５】
専用係合形状が、頭部の上面に形成される複数の係合穴であり、汎用非係合形状が頭部からネジ穴に貫通する逃がし孔である請求項２のパネル押え。
【請求項６】
床パネルを支持脚に固定するパネル押えに形成された専用係合形状に係合する専用係合部と、専用係合形状には非係合であって汎用工具で操作が可能な汎用係合形状に係合する汎用係合部とが形成されたことを特徴とするパネル押え操作用の専用工具。
【請求項７】
専用係合部が上方に、汎用係合部が下方に形成されている請求項６のパネル押え操作用の専用工具。
【請求項８】
請求項１〜５いずれかのパネル押えを請求項６又は７の専用工具で操作して床パネルを支持脚に取り付け又は取り外すことを特徴とするパネル押えと専用工具とによる床パネルの取付け、取外し方法。
【発明の詳細な説明】
【技術分野】
【０００１】
本発明は、基礎床面上に支持脚で支持される床パネルを支持脚に固定するパネル押え及びこのパネル押え操作用の専用工具並びにこれら専用工具とパネル押えによる床パネルの取付け、取外し方法に関するものである。
【背景技術】
【０００２】
近年、オフィスビル等では、配線空間を確保するために、床パネルを基礎床面上に浮かして敷設する二重床が多く採用されている。床パネルを二重床方式で敷くには、基礎床面上に支持脚を立て、この支持脚で床パネルを支持して床パネルの上方からパネル押えを支持脚にネジ込んで固定している。この場合、パネル押えの上面には工具を係合できる工具係合形状が形成されており、メンテナンスやレイアウト変更のときには、この係合形状に工具を係合してパネル押えを操作して床パネルを外したり、取り付けたりしている。
【０００３】
ところが、最近では、セキュリティーが叫ばれており、入口に鍵がかかる居室等の専用部分では、マイナス（プラス）ドライバーや六角レンチといった汎用工具での操作で問題はないが、誰もが侵入できる廊下等の共通部分では、これら汎用工具では操作できないような工夫がなされている。具体的には、パネル押えの工具係合形状を特殊形状（構造）としてこの特殊形状に係合できる専用工具を用いて操作している。すなわち、パネル押えをセキュリティー仕様と通常仕様とに分け、場所によって使い分ける方法をとっていた。
【０００４】
パネル押えの工具係合形状に特殊形状を施したものとして下記特許文献１及び２に示されるものがある。このうち、特許文献１のものは、パネル押えをピンを有する上部構造体とピンに係合して支持脚に螺合する下部構成体とで構成し、専用工具でピンを押し下げて下部構成体に係合させないと下部構成体を回せないようにしたものである。これに対して、特許文献２のものは、パネル押えの上面に複数の穴を形成し、裏面にこの穴に係合する突起を設けた工具によって操作するようにしている。
【０００５】
いずれも、専用工具がなければ操作できないことは共通しており、この専用工具では、共通部分等に敷設してある通常仕様のパネル押えは操作できない。したがって、これら両仕様のパネル押えを操作する必要があるときには、両方の工具を所持していなければならず、面倒で負担のかかる作業を強いられていた。また、セキュリティー仕様と通常仕様のパネル押えが混ざって使用されていた場合も同様である。
【特許文献１】特開平０１−２７５８５２号公報
【特許文献２】特開２００５−３４４３９８号公報
【発明の開示】
【発明が解決しようとする課題】
【０００６】
本発明が解決しようとする課題は、通常仕様とセキュリティー仕様のパネル押えが専用部分と共通部分で分けて使用されていても、これを一本の専用工具で操作できるようにしたものである。
【課題を解決するための手段】
【０００７】
以上の課題の下、本発明は、請求項１に記載した、床パネルを支持脚に固定するパネル押えであり、汎用工具に形成される汎用係合部には非係合であって、専用工具に形成される専用係合部には係合する専用係合形状と、汎用係合部を非係合とする汎用非係合形状とが形成されたことを特徴とするパネル押えを提供するとともに、このパネル押えを、請求項２に記載した、床パネルを上から押える頭部と、頭部の下方に突出し、支持脚を構成するネジ支柱に螺合するネジ穴が形成された胴部を有するものであり、この頭部及び／又は胴部に専用係合形状と汎用非係合形状が形成される手段を提供したものである。
【０００８】
また、以上のパネル押えとして、請求項３の、専用係合形状が、頭部の上面に形成された多角形穴であり、汎用非係合形状が多角形穴の底部からネジ穴に貫通する逃がし孔である手段、請求項４の、多角形穴と逃がし孔が兼用される手段、請求項５の、専用係合形状が、頭部の上面に形成される複数の係合穴であり、汎用非係合形状が頭部からネジ穴に貫通する逃がし孔である手段を提供する。
【０００９】
さらに、本発明は、請求項６に記載した、床パネルを支持脚に固定するパネル押えに形成された専用係合形状に係合する専用係合部と、専用係合形状には非係合であって汎用工具で操作が可能な汎用係合形状に係合する汎用係合部とが形成されたことを特徴とするパネル押え操作用の専用工具を提供するとともに、これにおいて、請求項７に記載した、専用係合部が上方に、汎用係合部が下方に形成されている手段を提供する。加えて、本発明は、請求項８に記載した、上記のパネル押えを上記の専用工具で操作して床パネルを支持脚に取り付け又は取り外すことを特徴とするパネル押えと専用工具とによる床パネルの取付け、取外し方法を提供する。
【発明の効果】
【００１０】
請求項１〜５のパネル押えによると、汎用工具では操作できず、専用工具のみでしか操作できないことから、セキュリティーが確保できる。また、請求項６〜７の専用工具によると、一本で、セキュリティー仕様のパネル押えと通常仕様のパネル押えの両方に使用できる。もちろん、一般的な汎用工具としても利用できる。
【発明を実施するための最良の形態】
【００１１】
以下、本発明の実施の形態を図面を参照して説明する。図１は本発明の一例を示すパネル押えと専用工具の使用状態を示す説明図、図２はパネル押えを取り付けた状態の平面図，図３は図２のＡーＡ断面図であるが、この床パネルの敷設構造は、床パネル１のコーナーの位置で基礎床面２上に置かれる支持脚３と、支持脚３で支持された床パネル１を支持脚２に固定するパネル押え４とからなる。
【００１２】
このうち、支持脚３は、基礎床面２上に適宜固着されて置かれる接地板５から倒れに対して十分な剛性を有するネジ支柱６が上起しているものであり、ネジ支柱６に螺合したナット７に受け盤８を止め付け、受け盤８で床パネル１を載せる載せ盤９を支持したものである。この場合において、載せ盤９は、その外周端が下方に屈曲して受け盤８の外周を包み込んで位置ずれを規制している。
【００１３】
床パネル１は、底面部１５と側面部１１と側面部１１の上端外側に折り曲げ形成した水平フランジとを有する縁付容器状をした下面板に、平板状の上面板を被せて外周を巻き込んで接合した構造の鋼板製のもので、全周に上面板と下面板との重合フランジを有している。コーナー先端の重合フランジには四半径円状の切欠部を有する低段部１０が四半径円状に段押し形成されており、対角線方向には低段部１０の起立壁から所定間隔隔てて側面部１１が降りている。したがって、起立壁と側面部１１との間は逆Ｕ字形の突出部を形成することになるが、これを首部１２とする。側面部１１は、辺に沿って延びて床パネル１の底面を周回しているが、コーナーは対角線方向に対する直交面を形成するよう４５°に面取りされている。
【００１４】
低段部１０に続く辺方向には、辺部に沿って下方へ突出する厚肉縁部１３が側面部１１近くまで延びて形成されている。厚肉縁部１３は、上面板の外周による下面板の水平フランジの巻き込みによって得られるので、特別な加工の必要がなく、下面側へ巻き込んだ上面板の板厚分だけ重合フランジから下方へ突出した厚肉状となっている。この他、低段部１０の起立壁の上端からは平坦な上面部１４に形成され、側面部１１の下端からは底面部１５に形成されている。
【００１５】
パネル押え４は、円板状の頭部１６と、頭部１６よりも径の小さな胴部１７とからなるものである。この頭部１６は、四枚の床パネル１のコーナーが集合状態で円状となる低段部１０の中に入り込む径を有しており、胴部１７は、上記した載せ盤９の中央部に形成された案内筒９ａの中に入り込む径を有しており、その上部と下部において外周が案内筒９ａの内周に摺接させられるものであり、その中心には、ネジ支柱６に螺合できるネジ穴１７ａが形成されている。なお、パネル押え４のこの他の構造については後述する。
【００１６】
以上の床パネル１は、支持脚３で支持される載せ盤９の上に載せられるが、この場合の載せ盤９は、最内周に低段部１０を受ける受面部１８が中央にパネル押え４の胴部１７が入り込む貫通孔を有して案内筒９ａがドーナツ円状に形成されている。そして、受面部１８に続く対角線方向には受面部１８より高い床パネル１の首部１２に入り込む高堰部１９と、これよりもかなり低い載せ部２０とが連続して形成され、辺方向には高堰部１９よりは低い低堰部２１と、低堰部２１よりは更に低い仕切り部２２とが連続して形成されている。
【００１７】
この場合、受面部１８の載せ部２０上面からの高さを、床パネル１の底面部１５から低段部１０の下面までの高さよりも若干低く設定している他、高堰部１９の高さも、同様に首部１２の下面までの高さよりも若干低く設定している。また、高堰部１９の低段部１０側の面は起立壁に沿う形状にし、側面部１２側の面は側面部１２に沿う形状にしている。そして、低堰部２１の幅は、隣接する床パネル１の両方の厚肉縁部１３を収容して位置規制を行うために、厚肉縁部１３の幅の倍を有しており、仕切り部２２の幅は、隣接する床パネル１の側面部１１間に入り込んで位置規制を行うために、床パネル１の辺部と側面部１１までの長さの倍を有している。
【００１８】
次に、床パネル１の支持脚３への載せ方であるが、ナット７を上下して載せ盤９を所定の高さに調整したなら、低段部１０が載せ盤９の受面部１８に載り、コーナー両辺の側面部１１が隣接する二つの仕切り部２２の間に嵌まり込む状態にしてその底面部１５を載せ部２０上に置く。すると、対角線方向には首部１２が高堰部１９を内外から挟み込み、辺方向には厚肉縁部１３が低堰部２１に嵌まり込む状態になる。このとき、高堰部１９の厚みを首部１２の幅に合わせておくと、首部１２が高堰部１９を挟圧することになり、位置ずれは一層抑制される。このような操作を四枚の床パネル１について行う。
【００１９】
このとき、基礎床面２の不陸によって支持脚３が傾斜していたり、床パネル１の製造誤差によって低段部１０の高さが揃わない場合があるが、受面部１８の高さを低段部１０の高さに対し、及び高堰部１９の高さを首部１２の高さに対しそれぞれ若干低く設定することで、それらを吸収した状態でのパネル押え４の締め付けを可能にしている。また、低段部１０を弾性変形させた状態で挟圧すれば、パネル押え４の緩み止め効果も発揮する。
【００２０】
この状態で、パネル押え４を適宜な工具を用いてネジ支柱６に螺合して行くと、その胴部１７の外周が載せ盤９の案内筒９ａの内周に摺接しながら下降して互いに位置ずれ及び変形を規制し合い、頭部１６は、低段部１０の中に入り込んで受面部１８とで低段部１０を直接上下から挟圧する。このとき、頭部１６の外形を低段部１０の内径に合わせておくと、低段部１０の起立壁を高堰部１９とで挟圧することになり、首部１２による高堰部１９の挟圧とで二重の位置ずれ規制構造となる。また、胴部１７の外周を低段部１０の内周に摺接するようにしておくことで、低段部１０を高堰部１９とで挟圧することになり、更なる位置ずれ規制構造となる。
【００２１】
以上により、床パネル１が対角線方向にずれようとすると、床パネル１の首部１２による高堰部１９の挟み付けを始めとする上述した位置ずれ規制構造が協働的に働き、その位置ずれを確実に規制する。また、辺方向にずれようとしても、上述した位置ずれ規制構造が対角線方向に広がりを有して放射状に形成されているため、その位置ずれを規制するが、床パネル１の厚肉縁部１３の低堰部２０への嵌まり込み及び側面部１２の仕切り部２２間への嵌まり込みにより、その位置ずれを一層確実に規制する。このようにして、床パネル１は、対角線方向にも辺方向にも、位置ずれが二重、三重に規制される。
【００２２】
ところで、以上のようにして支持脚２に固定した床パネル１は、メンテナンスやレイアウト変更に際して取り外さなければならないのは上述したとおりである。この取外しや取付けには工具を使うが、本発明では、パネル押え４を次のような構成にし、これを操作するに好ましい工具として次のような専用工具を提案する。まず、パネル押え４であるが、図４の説明図で示されるように、本発明では、ドライバーや六角レンチといった汎用工具に形成される汎用係合部には非係合であって、後述する専用工具２３に形成される専用係合部２３ｃには係合する専用係合形状４ａが形成されるとともに、汎用係合部を非係合とする汎用非係合形状４ｂが形成されたものである。
【００２３】
専用係合形状４ａとしては、頭部１６の上面に汎用係合部よりも大形の多角形穴が形成されるのが一般的であるが、本例では、正三角形の各頂点を中心に他の二点を結ぶ外膨した円弧状の辺部で囲まれた平面視おむすび形の三角穴４ａａとしている（この形状は一例であり、これに限定されるものではない）。一方、汎用非係合形状４ｂとしては、孔のようなものが一般的であるが、本例では、三角穴４ａａの底部からネジ穴１７ａに貫通する円筒形の逃がし孔４ｂａとしている。この場合の汎用係合部は、以下に述べる専用工具２３の汎用係合部２３ｄに限らず、一般的な汎用工具に形成された汎用係合部をも含むものである。
【００２４】
以上のパネル押え４は、その専用係合形状４ａには汎用係合部が非係合ではあるものの、専用係合部２３ｃが係合できるのであるが、これに加えてその汎用非係合形状４ｂにも汎用係合部２３ｄが非係合であるから、前者が後者より上方にあって、かつ汎用係合部２３ｄが係合できない大形のものが一般的である。このように、本発明におけるパネル押え４には、汎用非係合部４ｂが汎用係合部２３ｄが係合できない意図をもって、しかも積極的に形成されているのが特徴である。
【００２５】
次に専用工具２３であるが、この専用工具２３は、上記した専用係合形状４ａが形成されたセキュリティー仕様のものと、汎用係合形状のみが形成された通常仕様のものの両方が操作できるものになっている。図１等にそれが示されるが、この専用工具２３には、上部から握り部２３ａ、本体部２３ｂ、専用係合部２３ｃ、汎用係合部２３ｄが形成されている。このうち、握り部２３ａは操作するときに握ったり、レンチを嵌合する部分で、本体部２３ｂは主体をなす部分である。
【００２６】
また、専用係合部２３ｃは、上記したセキュリティー仕様のパネル押え４に形成された三角穴（専用係合形状）４ａａに係合する部分であり、これと同じ形状をしているものである。これに対して、汎用係合部２３ｄは、マイナス（プラス）溝や六角穴といった汎用係合形状に係合する部分で、本例では、マイナスドライバー２３ｄとなっている。図５は通常仕様のパネル押え４に対する専用工具２３の作用を示す説明図であるが、このマイナスドライバー（汎用係合部）２３ｄは、パネル押え４に形成されたマイナス溝（汎用係合形状）にも係合できてこれを操作できる。
【００２７】
したがって、これ一本で、セキュリティー仕様と通常仕様のパネル押え４の両方を操作できるものとなる。もちろん、一般的な汎用工具としても利用できる。このようにセキュリティー仕様と通常仕様のパネル押え４に対して支持脚３は共通のものが使用できるため、将来、レイアウト変更等により専用部分と共通部分の区画に変更があった場合でも、パネル押え４を別の仕様のものに取り換えるだけでセキュリティーを付加したり、解除したりできる。
【００２８】
ところで、以上の専用係合形状４ａ、汎用係合形状、専用係合部２３ｃ及び汎用係合部２３ｄとには次のような関係がある。まず、専用工具２３には専用係合部２３ｃと汎用係合部２３ｄの両方が形成されていることから、セキュリティー仕様のパネル押え４に形成される専用係合形状４ａに対しては汎用係合部２３ｄでは係合できないことになる。この場合の汎用係合部２３ｄはこの専用工具２３に形成されたものに限らず、一般的な汎用工具に形成された汎用係合部をも含むものである。次に、この汎用係合部２３ｄを非係合とする汎用非係合形状４ｂが形成されていることであり、この汎用非係合形状４ｂは、上記の例でいえば、三角穴４ａａの底部に汎用係合部２３ｄの働きをスポイルするネジ穴１７ａに貫通する逃がし孔４ｂａということになる。
【００２９】
図６はセキュリティー仕様のパネル押え４に対する汎用工具の作用を示す説明図であるが、逃がし孔４ｂａには挿入できないが、三角穴４ａａには差し込める最大幅のマイナスドライバー形状の汎用係合部２４を備えた汎用工具を使用してパネル押え４を図中矢印方向に回転させて取り外そうとすることが考えられる（図６（ａ）の状態）。しかし、汎用係合部２４は図６（ｂ）や（ｃ）に示すように、三角穴４ａａの辺に沿って滑るだけで、係合させることはできないから、三角穴４ａａはセキュリティーを確保していることになる。
【００３０】
図７はパネル押え４の他の例を示す説明図であるが、本例のものは、三角穴（専用係合形状）４ａａがそのままネジ穴１７ａに貫通しているもので、専用係合形状４ａと汎用非係合形状４ｂとが兼用されたものである。成形が簡単になって製作コストが安くなるのが利点である。これによると、専用工具２３の専用係合部２３ｃは三角穴４ａａには係合するが、汎用工具の汎用係合部は係合できない上に、ネジ穴（汎用非係合形状）１７ａによってその働きがスポイルされる。
【００３１】
図８はパネル押え４と専用工具２３の更に他の例を示す説明図であるが、本例のパネル押え４の専用係合形状４ａは、頭部１６の上面に中心から等距離に複数（本例では二個）の係合穴４ａｂが形成されたものであり、汎用非係合形状４ｂは、中心にネジ穴に貫通する逃がし穴４ｂａが形成されたものである。したがって、専用工具２３は、本体部２３ｂが円板体であり、その下面に係合穴４ａｂに嵌合するピン２３ｃａが突設されたものである。これによっても、汎用工具の汎用係合部はピン２３ｃａには係合できず、しかも逃がし穴４ｂａに嵌まり込んで機能を果たせない。
【図面の簡単な説明】
【００３２】
【図１】セキュリティー仕様のパネル押えと専用工具の使用状態を示す説明図である。
【図２】セキュリティー仕様のパネル押えを取り付けた状態の平面図である。
【図３】図２のＡーＡ断面図である。
【図４】セキュリティー仕様のパネル押えと専用工具との関係を示す説明図である。
【図５】通常仕様のパネル押えと専用工具の関係を示す説明図である。
【図６】セキュリティー仕様のパネル押えと汎用工具の関係を示す説明図である。
【図７】別のセキュリティー仕様のパネル押えと専用工具との関係を示す説明図である。
【図８】更に別のセキュリティー仕様のパネル押えと専用工具との関係を示す説明図である。
【符号の説明】
【００３３】
１    床パネル
２    基礎床面
３    支持脚
４    パネル押え
４ａ  専用係合形状
４ａａ三角穴
４ａｂ係合穴
４ｂ  汎用非係合形状
４ｂａ逃がし孔
５    接地板
６    ネジ支柱
７    ナット
８    受け盤
９    載せ盤
９ａ  案内筒
１０  低段部
１１  側面部
１２  首部
１３  厚肉縁部
１４  上面部
１５  底面部
１６  頭部
１７  胴部
１８  受面部
１９  高堰部
２０  載せ部
２１  低堰部
２２  仕切り部
２３  専用工具
２３ａ    〃  の握り部
２３ｂ    〃  の本体部
２３ｃ    〃  の専用係合部
２３ｃａ  〃  のピン
２３ｄ    〃  の汎用係合部
２４  汎用工具の汎用係合部
【図１】
2008025103.tif 000003
【図２】
2008025103.tif 000004
【図３】
2008025103.tif 000005
【図４】
2008025103.tif 000006
【図５】
2008025103.tif 000007
【図６】
2008025103.tif 000008
【図７】
2008025103.tif 000009
【図８】
2008025103.tif 000010